(57)【特許請求の範囲】
【請求項１】
モータ本体の回転軸の回転速度を、減速機により減速して、前記減速機に設けられた駆動軸を駆動するモータにおいて、
前記モータ本体は、前記減速機のケースに一体に保持され、前記モータ本体の回転軸が前記減速機のケース内に導入され、
前記減速機は、前記回転軸の回転速度を低減して前記駆動軸を駆動する複数の歯車を前記ケースの内部に収容して構成され、
前記複数の歯車は、前記モータ本体の回転軸に対して平行な軸線上に小径の歯車と大径の歯車とを一体化した複数の合成歯車からなり、
前記複数の合成歯車は、それぞれ、前記ケース内において、前記モータ本体側が大径の側となるように配置されて、回転速度が低下するに従って、順次、前記モータ本体側より軸方向に遠ざかるように配置され、
前記ケースの内部には、前記駆動軸の前記モータ本体側端に、前記複数の歯車から隔離された状態でセンサ用空間が凹設され、
前記センサ用空間に、先端に磁石が取り付けられて、前記駆動軸に取り付けられたレバーと、前記磁石の磁界を検出することにより、前記駆動軸の回転位置を検出するホール素子とが設けられた
ことを特徴とするモータ。
【請求項２】
前記駆動軸に、前記駆動軸の回転位置を表示する方向表示機が設けられた
ことを特徴とする請求項１に記載のモータ。
【請求項３】
前記ケースには、
前記複数の歯車と、前記モータ本体とを仕切るギアカバーが設けられ、
前記ギアカバーは、
前記駆動軸の部位に凹部が形成され、
前記凹部が前記センサ用空間である
ことを特徴とする請求項１、又は請求項２のモータ。
【請求項４】
製氷室に対して水皿を対向するように保持し、前記製氷室に設けられた複数の製氷小室に前記水皿からそれぞれ水を供給して前記製氷小室で氷塊を形成すると共に、
前記製氷室に対して前記水皿を離間させ、前記製氷小室で作成した氷塊を落下させる製氷装置において、
請求項１、請求項２、請求項３の何れかに記載のモータにより、前記水皿を可動する
ことを特徴とする製氷装置。
【発明の詳細な説明】
【技術分野】
【０００１】
本発明は、例えば減速機構を介して駆動軸を回転させるモータ、このモータを使用した製氷装置に関する。
【背景技術】
【０００２】
従来、業務用の製氷装置では、例えば特開２００８−２２４２１５号公報に開示されているように、多数の製氷小室を有する製氷室をほぼ水平に保持し、製氷時、この製氷室に対向するように、製氷室の下方に水皿を配置する。さらにこの水皿に設けられたノズルから製氷室の各製氷小室に水を噴射し、各製氷小室でそれぞれ氷塊を生成する。またその後、水皿を退避させると共に、製氷小室を加温し、製氷小室の氷塊を貯氷室に落下させる。この種の製氷装置は、製氷室の一端を回動軸により軸支する共に、バネにより付勢してカムにより他端を上下させることにより水皿を回動させ、これにより製氷時、製氷室に対向するように、製氷室の下方に水皿を保持し、さらに貯氷室への氷塊の排出時、この水皿を斜めに傾けて氷塊の排出を妨げないようにする。
【０００３】
特開２００７−１４７２０１号公報には、この水皿の可動に供するモータの工夫が提案されている。すなわち図８は、この特開２００７−１４７２０１号公報に開示のモータを示す正面図及び側面図である。このモータ１は、例えばブラシレスモータであるモータ本体２の回転軸出力を、減速機３により減速して駆動軸４を駆動する。製氷装置では、この駆動軸４にカムが設けられ、正逆方向に駆動軸４が約半回転して水皿を回動させる。
【０００４】
またモータ１は、この駆動軸４の付け根に、レバー５が設けられ、このレバー５の先端に磁石６が設けられる。またさらに減速機３のレバー５側端面には配線基板７が設けられ、この配線基板７の所定箇所に、磁石６による磁界を検出するホール素子８、９が設けられる。ここでホール素子８、９は、製氷時及び貯氷室への氷塊の排出時における水皿に対応する位置に設けられる。これによりモータ１は、このホール素子８、９により磁石６の磁界を検出してモータ本体２の駆動が制御され、この２つのホール素子８、９による範囲が駆動軸４の回転範囲に設定されて製氷装置のカムを駆動する。なお減速機３のレバー５側端面には、レバー５に当接して駆動軸４の回転を制限するストッパー１０、１１が設けられている。
【先行技術文献】
【特許文献】
【０００５】
【特許文献１】特開２００８−２２４２１５号公報
【特許文献２】特開２００７−１４７２０１号公報
【発明の概要】
【発明が解決しようとする課題】
【０００６】
ところで図８のモータ１では、駆動軸４の付け根にレバー５を設け、このレバー５の先端に設けた磁石６の磁界をホール素子８、９で検出していることから、駆動軸４の延長する方向の寸法が大きくなる問題がある。なおこのように駆動軸４の延長する方向の寸法が大きい場合には、このモータ１を組み込む装置にあっては、対応する方向の寸法を小さくすることが困難になり、結局、全体形状を小型化することが困難になる。
【０００７】
また駆動軸４の付け根側に設けたレバー５、磁石６、配線基板７、ホール素子８、９により駆動軸４の回転位置を検出していることから、これらの構成に係る信頼性の点で、実用上、未だ不十分な問題がある。
【０００８】
本発明は、これらの課題を解決し、従来に比して駆動軸の延長方向の長さを短くすることができ、さらには従来に比して信頼性を向上することができるモータ、このモータを用いた製氷装置を提案する。
【課題を解決するための手段】
【０００９】
本発明は、モータ本体の回転軸の回転速度を、前記モータ本体と一体に保持された減速機により減速して、前記減速機に設けられた駆動軸を駆動するモータにおいて、前記減速機は、複数の歯車により前記回転軸の回転速度を低減して前記駆動軸を駆動し、前記モータは、前記複数の歯車を保持するケースの内部に、センサ用空間を有し、前記センサ用空間に、先端に磁石が取り付けられて、前記駆動軸に取り付けられたレバーと、前記磁石の磁界を検出することにより、前記駆動軸の回転位置を検出するホール素子とが設けられる。
【００１０】
本発明によれば、ケースの内部に設けられたセンサ用空間にレバー、ホール素子が設けられ、このセンサ用空間に駆動軸の回転位置を検出する構成が設けられることにより、これらの構成を減速機の外部に設ける場合に比して、駆動軸の延長方向の長さを短くすることができ、さらには信頼性を向上することができる。
【００１１】
さらに本発明は、前記複数の歯車が、前記モータ本体の回転軸に対して平行な軸線上に小径の平歯車と大径の平歯車とを一体化した複数の合成歯車であり、前記減速機は、前記複数の合成歯車により、前記モータ本体の回転軸の回転速度を順次段階的に低減して前記駆動軸を駆動し、前記複数の合成歯車は、それぞれ前記モータ本体側が大径の側となるように配置されて、回転速度が低下するに従って、順次、前記モータ本体側より軸方向に遠ざかるように配置され、前記センサ用空間は、前記駆動軸の前記モータ本体側端に設けられる。
【００１２】
本発明によれば、歯車の配置により減速機の内部にセンサ用空間を設けるスペースを確保することができ、これにより減速機の内部空間を有効に利用して形状の大型化を有効に回避した上で、従来に比して駆動軸の延長方向の長さを短くすることができ、さらには信頼性を向上することができる。
【００１３】
また本発明は、前記駆動軸に、前記駆動軸の回転位置を表示する方向表示機が設けられる。
【００１４】
本発明によれば、減速機の内部のセンサ用空間に駆動軸の回転位置を検出する構成を設けるようにして、この構成が外部より見て取ることができない場合であっても、方向表示機により駆動軸の回転位置を見て取ることができ、これにより組み立て作業の効率低下等を有効に回避することができる。
【００１５】
また本発明は、前記ケースには、前記複数の歯車と、前記モータ本体とを仕切るギアカバーが設けられ、前記ギアカバーは、前記駆動軸の部位に凹部が形成され、前記凹部がセンサ用空間に割り当てられる。
【００１６】
本発明によれば、ギアカバーの構成を有効に利用してセンサ用空間を構成することができる。
【００１７】
また本発明は、製氷室に対して水皿を対向するように保持し、前記製氷室に設けられた複数の製氷小室に前記水皿からそれぞれ水を供給して前記製氷小室で氷塊を形成すると共に、前記製氷室に対して前記水皿を離間させ、前記製氷小室で作成した氷塊を落下させる製氷装置において、請求項１、請求項２、請求項３、請求項４、又は請求項５の何れかに記載のモータにより、前記水皿を可動する。
【００１８】
本項発明によれば、モータにおいて、従来に比して駆動軸の延長方向の長さを短くすることができ、さらには従来に比して信頼性を向上することができることから、このモータを使用する製氷装置において、モータの駆動軸の延長する方向の大きさを小さくして、かつ信頼性を向上することができる。
【発明の効果】
【００１９】
本発明によれば、従来に比して駆動軸の延長方向の長さを短くすることができ、さらには従来に比して信頼性を向上することができる。
【図面の簡単な説明】
【００２０】
【図１】本発明の第１の実施の形態に係る製氷装置を示す図である。
【図２】図１の製氷装置において、製氷時における製氷機構を示す正面図である。
【図３】図１の製氷装置において、製氷した氷塊の貯氷室への排出時における製氷機構を示す正面図である。
【図４】図１の製氷装置のアクチュエータモータを示す図である。
【図５】図１の製氷装置のアクチュエータモータの断面図である。
【図６】図１の製氷装置において、製氷時におけるアームの位置を示す正面図である。
【図７】図１の製氷装置において、製氷した氷塊の貯氷室への排出時におけるアームの位置を示す正面図である。
【図８】従来の製氷装置のモータを示す図である。
【発明を実施するための形態】
【００２１】
以下、本発明の実施の形態を図面を参照しながら説明する。
【００２２】
〔製氷装置〕
図１は、本発明の第１の実施の形態に係る製氷装置を示す斜視図である。なおこの図１では、天井側カバーを取り外した状態で製氷装置２１を示す。ここで製氷装置２１は、業務用の製氷装置であり、略箱形により筐体２２が形成され、この筐体２２の下部にコンプレッサー等が収納される。製氷装置２１は、作成した氷塊を取り出す際に開閉する扉２３が前面に設けられ、この扉２３の奥に氷塊を貯留する貯氷室２４が設けられる。またこの貯氷室２４の上に、氷塊の作成に供する製氷機構２５が設けられる。
【００２３】
ここで製氷機構２５は、取付枠２６により貯氷室２４の上に保持され、氷塊を生成する製氷室２７、この製氷室２７に製氷用の水を供給する水皿２８、水皿２８に製氷用の水を供給するポンプモータ２９、このポンプモータ２９により供給する製氷用の水を蓄積する製氷水タンク３０、水皿２８の可動に供するアクチュエータモータ３２等が設けられる。
【００２４】
図２及び図３は、それぞれ製氷時、及び製氷した氷塊の貯氷室２４への排出時における製氷機構２５を示す正面図である。製氷機構２５において、製氷室２７は、格子状に仕切り板が設けられ、この仕切り板により貯氷室２４側が開口している製氷小室が碁盤の目状に設けられる。製氷室２７は、この仕切り板を冷却、加温する蒸発器が設けられる。製氷機構２５は、製氷時（図２）、この製氷室２７に対向するように、製氷室２７の下側に水皿２８が保持され、水皿２８は、それぞれ対応する製氷小室に製氷用の水を噴射するノズルが設けられる。製氷機構２５は、製氷水タンク３０に保持された製氷用の水が、ポンプモータ２９によりこの水皿２８のノズルに供給されると共に、この製氷用の水がノズルより製氷室２７に供給され、これにより製氷室２７の製氷小室で氷塊が生成される。また氷塊が生成されると（図３）、水皿２８を退避位置に退避させると共に、製氷室２７の仕切り板を加温し、これにより生成した氷塊を貯氷室２４に落下させる。
【００２５】
製氷装置２１は、この水皿２８の一端が、回動軸により取付枠２６に保持され、これにより水皿２８が回動自在に取付枠２６に保持される。また製氷装置２１は、水皿２８の他端が、コイルバネ３４を介してカム３５の先端に接続され、またこのカム３５がアクチュエータモータ３２により駆動され、これによりアクチュエータモータ３２により水皿２８を可動する。具体的に、製氷時には、アクチュエータモータ３２によりカム３５の先端を上方に可動し、これによりコイルバネ３４により水皿２８の他端を引き上げ、製氷室２７に対向するように、製氷室２７の下側に水皿２８を保持する（図２）。また製氷した氷塊の貯氷室２４への排出時、アクチュエータモータ３２によりカム３５の先端を下方に可動し（図３）、これによりコイルバネ３４により水皿２８の他端を押し下げる。これにより、製氷室２７に対して斜めに傾くように水皿２８を保持し、製氷室２７から貯氷室２４への氷塊の落下を妨げないようにする。
【００２６】
〔アクチュエータモータ〕
図４は、アクチュエータモータ３２を示す正面図及び側面図である。アクチュエータモータ３２は、モータ本体４２の回転軸の回転速度を、モータ本体４２と一体に保持された減速機４３により減速して、この減速機４３に設けられた駆動軸４４を駆動する。製氷装置２１では、この駆動軸４４にカム３５が設けられ、正逆方向に駆動軸４４が約半回転して水皿２８を回動させる。なおここでモータ本体４２は、例えばブラシレスモータである。
【００２７】
このためアクチュエータモータ３２において、減速機４３は、図５に示すように、減速用に複数の歯車が設けられる。ここで図５は、モータ本体４２の回転軸４７と駆動軸４４との間で、駆動力の伝達順に各回転軸中心を結ぶ折れ線により断面を取って示す図であり、図４（Ａ）をＸ−Ｘ線により切り取って示す減速機構に係る歯車の構成を示す図である。減速機４３は、モータ本体４２の回転軸に対して平行な軸線上に小径の平歯車と大径の平歯車とを一体化した複数の合成歯車であって、回転軸が異なる複数の合成歯車が設けられる。すなわち減速機４３は、モータ本体４２の回転軸４７に小径の平歯車４８が設けられ、この平歯車４８に噛み合う大径の平歯車４９により回転軸４７の回転速度が低減される。また減速機４３は、この大径の平歯車４９に小径の平歯車５０が一体に設けられて第１の合成歯車が形成され、この小径の平歯車５０に噛み合う大径の平歯車５１により回転軸４７の回転速度が一段と低減される。また減速機４３は、この大径の平歯車５１に小径の平歯車５２が一体に設けられて第２の合成歯車が形成され、この小径の平歯車５２に噛み合う大径の平歯車５３が設けられる。またさらに減速機４３は、この大径の平歯車５３に小径の平歯車５４が一体に設けられて第３の合成歯車が形成され、この小径の平歯車５４に噛み合う大径の平歯車５５が駆動軸４４に設けられる。これらにより減速機４３は、平行軸の平歯車４８〜５５を用いて４段階により回転速度を低減し、駆動軸４４をモータ本体４２により駆動する。
【００２８】
減速機４３において、これらの平歯車４８〜５５の回転軸は、モータ本体４２の回転軸４７を中心に、この回転軸４７を囲むように順次配置され（図４（Ａ））、これにより減速機４３の全体形状を小型化するように構成される。またこれらの平歯車４８〜５５は、平歯車４８がモータ本体４２側に配置されると共に、順次、モータ本体４２側から軸方向に遠ざかるように配置され、さらにそれぞれ大径の平歯車４９、５１、５３が対応する小径の平歯車５０、５２、５４よりモータ本体４２側に配置される。これにより減速機４３は、駆動軸４４のモータ本体４２側に、スペースを形成するように、これら平歯車４８〜５５が配置される。
【００２９】
減速機４３は、これらの歯車４８〜５５をモータ本体４２と一体にケースに収納して保持するようにして、このケースの内部にセンサ用空間を設け、このセンサ用空間に駆動軸４４の回転位置を検出する構成が設けられる。これによりこのアクチュエータモータ３２では、従来に比して駆動軸４４の延長方向の長さを短くし、さらには従来に比して信頼性を向上する。すなわちこのように減速機４３の内部に設けられたセンサ用空間に駆動軸４４の回転位置を検出する構成を設ける場合には、外部に設ける場合のスペースを省略することができ、これにより駆動軸４４の長さを短くすることができる。またこのように減速機４３の内部に駆動軸４４の回転位置を検出する構成を設ける場合には、氷塊の衝突、各種の異物の付着を防止することができ、これにより信頼性を向上することができる。
【００３０】
さらにこの実施の形態では、歯車４８〜５５の配置により形成される駆動軸４４のモータ本体４２側のスペースについて、このスペースをセンサ用空間に割り当て、これにより減速機４３は、内部空間を有効に利用して形状の大型化を有効に回避する。
【００３１】
またさらに減速機４３では、ケースの内部にて、複数の歯車４８〜５５と、モータ本体４２とを仕切るギアカバー５７に凹部５８を形成し、この凹部５８をセンサ用空間に割り当て、これにより回転位置を検出する構成を減速機４３の内部に配置することによる信頼性の低下を防止する。
【００３２】
すなわち減速機４３は、モータ本体４２側に開口が形成された箱形状によりギアケース５６が形成される。なおギアケース５６は、例えば樹脂の射出成型により形成され、歯車４９〜５４の回転軸の軸受けが形成される。減速機４３は、このギアケース５６に、平歯車４９〜５５等を収納した後、同様に樹脂の射出成型によるギアカバー５７により、ギアケース５６のモータ本体４２側の開口が塞がれる。ここでギアカバー５７は、モータ本体４２と減速機４３に係る構成とを仕切る仕切り板であり、ギアケース５６に対応して歯車４９〜５４の回転軸の軸受けが形成される。またさらにギアカバー５７は、モータ本体４２を一体に保持する構成であるネジ止め用のネジ孔等が設けられる。減速機４３は、このギアカバー５７における駆動軸４４の部位に凹部５８が形成され、この凹部５８がセンサ用空間に割り当てられる。
【００３３】
減速機４３は、位置検出用のホール素子６０を配置した配線基板５９がこの凹部５８に配置される。減速機４３は、当該凹部５８に駆動軸４４のモータ本体４２側端が突出し、この突出した箇所にレバー６１が設けられる。減速機４３は、このレバー６１の先端に磁石６２が配置される。このアクチュエータモータ３２は、配線基板５９に配置したホール素子６０により、レバー６１に設けられた磁石６２の磁界を検出し、駆動軸４４の回転位置を検出する。なおホール素子６０は、ホール素子６０の出力信号を処理する信号処理回路と一体の集積回路により構成される。またホール素子６０は、製氷時の水皿２８の位置に対応した配線基板５９上の位置、貯氷室２４への氷塊の排出時の水皿２８の位置に対応した配線基板５９上の位置に、それぞれ配置され、これにより製氷装置２１は、アクチュエータモータ３２を駆動して水皿２８を回動させ、これらのホール素子６０によりそれぞれ磁石６２の磁界が検出されると、アクチュエータモータ３２の駆動を停止制御する。
【００３４】
アクチュエータモータ３２は、この凹部５８に、回転位置検出の機構に係る構成が配置され、続いてモータ本体４２が配置され、その後、裏カバー６５が設けられる。アクチュエータモータ３２は、この裏カバー６５により凹部５８が密閉される。これにより減速機４３は、ギアケース５６及び裏カバー６５によりモータ本体４２と一体に複数の歯車４８〜５５を保持し、このギアケース５６及び裏カバー６５によるケースの内部にセンサ用空間を形成する。
【００３５】
なお図６及び図７は、それぞれ図２及び図３との対比により配線基板５９、レバー６１と、カム３５、コイルバネ３４との関係を示す図である。なおこの図６及び図７では、配線基板５９、レバー６１を透視して示す図である。
【００３６】
ところで従来構成では、駆動軸の根元に、回転位置の検出に係るレバー５が設けられていることにより（図８）、このレバー５の向きにより駆動軸４４の回転位置を確認することができる。従って駆動軸４４へのカム３５の取り付け等においては、このレバー５の向きに基づいて正しい向きによりカム３５を取り付けることができる。しかしながらこのアクチュエータモータ３２のように、回転位置の検出に係る構成を減速機４３の内部に収納すると、駆動軸４４の向きを判定する手掛かりが無くなってしまうことになる。従って従来に比して組み立て作業に注意を要することになり、組み立て作業の効率が低下する恐れがある。
【００３７】
そこでこの実施の形態において、アクチュエータモータ３２は、駆動軸４４の向きを示す方向表示機７０（図４）が設けられる。ここで方向表示機７０は、駆動軸４４の付け根部分に方向表示板７１が設けられ、この方向表示板７１に対応してギアケース５６に目盛７２が設けられる。この実施の形態において、方向表示板７１は、板状の部材により形成され、貫通孔に駆動軸４４を貫通させて駆動軸４４に保持される。方向表示板７１は、一方向に周辺部が突出して指針が形成され、目盛７２は、この指針により指し示される方向が駆動軸４４の回転する範囲の如何なる箇所かを識別可能に、一定の間隔で設けられ、また駆動軸４４の回転範囲の両端及び中央には、大きな形状により形成される。
【００３８】
これによりアクチュエータモータ３２は、カム３５を取り付ける際に、この方向表示機７０を手掛かりに取り付けることができ、従来に比して組み立て作業を簡略化することができる。またメンテナンス作業等において、アクチュエータモータ３２を取り外してアクチュエータモータ３２の動作を確認する場合等にあっては、この方向表示機７０を手掛かりに簡易かつ確実に動作を確認することができ、これにより各種の作業における効率を向上することができる。
【００３９】
以上の構成によれば、製氷装置の水皿を可動させるアクチュエータモータにおいて、減速機に係る複数の歯車を保持するケースの内部にセンサ用空間を設け、このセンサ用空間に駆動軸の回転位置を検出する構成を設けることにより、従来に比して駆動軸の延長方向の長さを短くすることができ、さらには従来に比して信頼性を向上することができるモータ、このモータを用いた製氷装置を得ることができる。
【００４０】
またこの複数の歯車に、回転軸が平行な小径及び大径の平歯車による複数の合成歯車を適用し、この歯車の配置により減速機の内部にセンサ用空間のスペースを確保することにより、減速機の内部空間を有効に利用して形状の大型化を有効に回避することができる。
【００４１】
またさらに駆動軸の回転位置を表示する方向表示機を設けることにより、減速機の内部に駆動軸の回転位置を検出する構成を設ける場合でも、駆動軸の回転位置を見て取ることができ、これにより組み立て作業の効率低下等を有効に回避することができる。
【００４２】
また歯車とモータ本体とを仕切るギアカバーに凹部を形成してセンサ用空間に割り当てることにより、ギアカバーの構成を有効に利用してセンサ用空間を構成することができる。
【００４３】
〔他の実施の形態〕
以上、本発明の実施に好適な具体的な構成を詳述したが、本発明は、本発明の趣旨を逸脱しない範囲で、上述の実施の形態の構成を種々に変更することができる。
【００４４】
すなわち例えば上述の実施の形態では、駆動軸を約半回転させるとの前提において、１組のホール素子により駆動を停止させる位置を検出する場合について述べたが、本発明はこれに限らず、例えば駆動軸を１回転以上回転させる場合、ホール素子を１つ又は３個以上配置する場合にも広く適用することができる。また停止位置を検出する場合に限らず、レバーの通過を検出する場合にも適用することができる。
【００４５】
また上述の実施の形態では、平行軸の歯車により４段階で順次回転速度を低減する場合について述べたが、本発明はこれに限らず、例えば１段階で回転速度を低減する場合等に広く適用することができる。
【００４６】
また上述の実施の形態では、平行軸の歯車により減速機を構成する場合について述べたが、本発明はこれに限らず、種々の歯車の構成により回転速度を低減する場合に広く適用することができる。
【００４７】
また上述の実施の形態では、モータ本体を一体にケースに収納する場合について述べたが、本発明はこれに限らず、モータ本体とは別体に歯車をケースに収納する場合にも広く適用することができる。
【００４８】
また上述の実施の形態では、本発明を製氷装置に適用する場合について述べたが、本発明はこれに限らず、各種の機器に広く適用することができる。
【符号の説明】
【００４９】
１  モータ
２  モータ本体
３  減速機
４、４４  駆動軸
５、６１  レバー
６、６２  磁石
７、５９  配線基板
８、９、６０  ホール素子
１０、１１  ストッパー
２１  製氷装置
２２  筐体
２３  扉
２４  貯氷室
２５  製氷機構
２６  取付枠
２７  製氷室
２８  水皿
２９  ポンプモータ
３０  製氷水タンク
３２  アクチュエータモータ
３４  コイルバネ
３５  カム
４２  モータ本体
４３  減速機
４７  回転軸
４８〜５５  平歯車
５６  ギアケース
５７  ギアカバー
５８  凹部
６５  裏カバー
７０  方向表示機
７１  方向表示板
７２  目盛  
【図１】
0005788700.tif 000002
【図２】
0005788700.tif 000003
【図３】
0005788700.tif 000004
【図４】
0005788700.tif 000005
【図５】
0005788700.tif 000006
【図６】
0005788700.tif 000007
【図７】
0005788700.tif 000008
【図８】
0005788700.tif 000009